【手続補正書】
【提出日】平成16年12月27日(2004.12.27)
【手続補正１】
【補正対象書類名】明細書
【補正対象項目名】特許請求の範囲
【補正方法】変更
【補正の内容】
【特許請求の範囲】
【請求項１】
インクジェット方式にて処理液体を滴状に微細化して光学用レンズの表面に塗布する塗布工程と、前記処理液体のレベリング性能によって塗布面を平滑化させるレベリング工程とを有し、前記処理液体を前記光学用レンズに対して両面同時に塗布することを特徴とする処理液体の塗布方法。
【請求項２】
インクジェット方式にて処理液体を滴状に微細化して光学用レンズの表面に塗布する塗布工程と、前記処理液体のレベリング性能によって塗布面を平滑化させるレベリング工程とを有し、前記処理液体を前記光学用レンズの一方の面に塗布している時間内に他方の面の塗布を開始することを特徴とする処理液体の塗布方法。
【請求項３】
インクジェット方式にて処理液体を滴状に微細化して光学用レンズの表面に塗布する塗布工程と、前記処理液体のレベリング性能によって塗布面を平滑化させるレベリング工程とを有し、前記処理液体を前記光学用レンズの一方の面に塗布し、その終了と同時に他方の面の塗布を開始することを特徴とする処理液体の塗布方法。
【請求項４】
前記光学用レンズが、プラスチックメガネレンズであることを特徴とする請求項１〜３のいずれか一項に記載の処理液体の塗布方法。
【請求項５】
前記処理液体が、前記光学用レンズのプライマーの原料またはその一部であることを特徴とする請求項１〜４のいずれか一項に記載の処理液体の塗布方法。
【請求項６】
前記処理液体が、前記光学用レンズの反射防止膜の原料またはその一部であることを特徴とする請求項１〜４のいずれか一項に記載の処理液体の塗布方法。
【請求項７】
前記処理液体が、顔料および／または染料を含むことを特徴とする請求項１〜４のいずれか一項に記載の処理液体の塗布方法。
【請求項８】
請求項１〜７のいずれか一項に記載の処理液体の塗布方法を用いることを特徴とする光学用レンズの製造方法。
【請求項９】
前記光学用レンズを保持、搬送する手段と、前記光学用レンズの一方の面側および他方の面側に配置されたインクジェット式記録ヘッドと、前記光学用レンズと前記インクジェット式記録ヘッドを相対位置決めする手段とを具備することを特徴とする光学用レンズ加工装置。
【請求項１０】
前記光学用レンズを保持、搬送、および反転する手段と、前記光学用レンズの一方面側に配置されたインクジェット式記録ヘッドと、前記光学用レンズと前記インクジェット式記録ヘッドを相対位置決めする手段とを具備することを特徴とする光学用レンズ加工装置。
【手続補正２】
【補正対象書類名】明細書
【補正対象項目名】００１３
【補正方法】変更
【補正の内容】
【００１３】
従って、目的を達成するために、請求項１記載の発明は、インクジェット方式にて処理液体を滴状に微細化して光学用レンズの表面に塗布する塗布工程と、前記処理液体のレベリング性能によって塗布面を平滑化させるレベリング工程とを有し、前記処理液体を前記光学用レンズに対して両面同時に塗布することを特徴とする処理液体の塗布方法を提供する。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】変更
【補正の内容】
【００１５】
請求項２記載の発明は、インクジェット方式にて処理液体を滴状に微細化して光学用レンズの表面に塗布する塗布工程と、前記処理液体のレベリング性能によって塗布面を平滑化させるレベリング工程とを有し、前記処理液体を前記光学用レンズの一方の面に塗布している時間内に他方の面の塗布を開始することを特徴とする処理液体の塗布方法を提供する。
【手続補正５】
【補正対象書類名】明細書
【補正対象項目名】００１６
【補正方法】変更
【補正の内容】
【００１６】
請求項３記載の発明は、インクジェット方式にて処理液体を滴状に微細化して光学用レンズの表面に塗布する塗布工程と、前記処理液体のレベリング性能によって塗布面を平滑化させるレベリング工程とを有し、前記処理液体を前記光学用レンズの一方の面に塗布し、その終了と同時に他方の面の塗布を開始することを特徴とする処理液体の塗布方法を提供する。
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】変更
【補正の内容】
【００１８】
なお、請求項１〜３記載の発明では、前記処理液体の微細化方式が、インクジェット方式であるが、スプレー方式としても有効である。
【手続補正８】
【補正対象書類名】明細書
【補正対象項目名】００１９
【補正方法】変更
【補正の内容】
【００１９】
請求項４記載の発明は、前記光学用レンズが、プラスチックメガネレンズであることを特徴とする請求項１〜３のいずれか一項に記載の処理液体の塗布方法を提供する。
【手続補正９】
【補正対象書類名】明細書
【補正対象項目名】００２０
【補正方法】変更
【補正の内容】
【００２０】
また、前記処理液体が、熱、光、または電磁波により硬化する硬化性液体であることを特徴とする請求項１〜４のいずれか一項に記載の処理液体の塗布方法を提供する。
【手続補正１０】
【補正対象書類名】明細書
【補正対象項目名】００２１
【補正方法】変更
【補正の内容】
【００２１】
請求項５記載の発明は、前記処理液体が、前記光学用レンズのプライマーの原料またはその一部であることを特徴とする請求項１〜４のいずれか一項に記載の処理液体の塗布方法を提供する。
【手続補正１１】
【補正対象書類名】明細書
【補正対象項目名】００２２
【補正方法】変更
【補正の内容】
【００２２】
請求項６記載の発明は、前記処理液体が、前記光学用レンズの反射防止膜の原料またはその一部であることを特徴とする請求項１〜４のいずれか一項に記載の処理液体の塗布方法を提供する。
【手続補正１２】
【補正対象書類名】明細書
【補正対象項目名】００２３
【補正方法】変更
【補正の内容】
【００２３】
請求項７記載の発明は、前記処理液体が、顔料および／または染料を含むことを特徴とする請求項１〜４のいずれか一項に記載の処理液体の塗布方法を提供する。
【手続補正１３】
【補正対象書類名】明細書
【補正対象項目名】００２４
【補正方法】変更
【補正の内容】
【００２４】
請求項８記載の発明は、請求項１〜７のいずれか一項に記載の処理液体の塗布方法を用いることを特徴とする光学用レンズの製造方法を提供する。
【手続補正１４】
【補正対象書類名】明細書
【補正対象項目名】００２５
【補正方法】変更
【補正の内容】
【００２５】
請求項９記載の発明は、前記光学用レンズを保持、搬送する手段と、前記光学用レンズの一方の面側および他方の面側に配置されたインクジェット式記録ヘッドと、前記光学用レンズと前記インクジェット式記録ヘッドを相対位置決めする手段とを具備することを特徴とする光学用レンズ加工装置を提供する。
【手続補正１５】
【補正対象書類名】明細書
【補正対象項目名】００２６
【補正方法】変更
【補正の内容】
【００２６】
また、請求項９記載の発明の応用で、前記光学用レンズを保持、搬送する手段と、前記光学用レンズの一方の面側および他方の面側に配置されたスプレーノズルと、前記光学用レンズと前記スプレーノズルを相対位置決めする手段とを具備することを特徴とする光学用レンズ加工装置を提供する。
【手続補正１６】
【補正対象書類名】明細書
【補正対象項目名】００２７
【補正方法】変更
【補正の内容】
【００２７】
請求項１０記載の発明は、前記光学用レンズを保持、搬送、および反転する手段と、前記光学用レンズの一方面側に配置されたインクジェット式記録ヘッドと、前記光学用レンズと前記インクジェット式記録ヘッドを相対位置決めする手段とを具備することを特徴とする光学用レンズ加工装置を提供する。
【手続補正１７】
【補正対象書類名】明細書
【補正対象項目名】００２８
【補正方法】変更
【補正の内容】
【００２８】
また、請求項１０記載の発明の応用で、前記光学用レンズを保持、搬送、および反転する手段、前記光学用レンズの一方面側に配置されたスプレーノズルと前記光学用レンズと前記スプレーノズルを相対位置決めする手段とを具備することを特徴とする光学用レンズ加工装置を提供する。